(57)【要約】【課題】シャフトを回転させることなく同一のグリップのまま距離の長短やラインの影響を低減したストロークができ、しかも低コストで作製可能なゴルフ用パターヘッド及びパタークラブを提供する。【解決手段】ヘッドの接地面側に位置し、−９〜±０°のロフト角を有する第１のフェース面と、第１のフェース面の上辺に隣接して位置し、＋１〜＋９°のロフト角を有する第２のフェース面を備える。第１のフェース面は、±０°のロフト角を有することでもよいし、−９〜−１°のマイナスのロフト角を有することでもよい。また、第１のフェース面の上下幅は、１０〜２１ｍｍであることが好ましい。【選択図】図８
2020044312.tif 000002
【特許請求の範囲】
【請求項１】
ヘッドの接地面側に位置し、−９〜±０°のロフト角を有する第１のフェース面と、
第１のフェース面の上辺に隣接して位置し、＋１〜＋９°のロフト角を有する第２のフェース面を備えたことを特徴とするゴルフ用パターヘッド。
【請求項２】
第１のフェース面は、±０°のロフト角を有することを特徴とする請求項１に記載のゴルフ用パターヘッド。
【請求項３】
第１のフェース面は、−９〜−１°のマイナスのロフト角を有することを特徴とする請求項１に記載のゴルフ用パターヘッド。
【請求項４】
第１のフェース面の上下幅は、１０〜２１ｍｍであることを特徴とする請求項１〜３の何れかに記載のゴルフ用パターヘッド。
【請求項５】
中央に位置し±０〜＋４°のロフト角を有する第１のフェース面と、＋１〜＋９°のロフト角を有する第２のフェース面と、−９〜−１°のロフト角を有する第３のフェース面を備え、第１乃至第３のフェース面が略一直線上に設けられたことを特徴とするゴルフ用パターヘッド。
【請求項６】
第２のフェース面はパターヘッドのトウ側、第３のフェース面はパターヘッドのヒール側にそれぞれ設けられ、
又は、
第２のフェース面はパターヘッドのヒール側、第３のフェース面はパターヘッドのトウ側にそれぞれ設けられたことを特徴とする請求項５に記載のゴルフ用パターヘッド。
【請求項７】
第２のフェース面は、＋２．５〜＋４．５°のロフト角を有し、
第３のフェース面は、−４．５〜−２．５°のロフト角を有する、
ことを特徴とする請求項５又は６に記載のゴルフ用パターヘッド。
【請求項８】
第１のフェース面の左右の幅は、２０〜２２ｍｍであることを特徴とする請求項５〜７の何れかに記載のゴルフ用パターヘッド。
【請求項９】
第２及び第３のフェース面の左右の幅は、第１のフェース面の左右の幅よりも広く設けられたことを特徴とする請求項５〜８の何れかに記載のゴルフ用パターヘッド。
【請求項１０】
第２のフェース面及び第３のフェース面は、第１のフェース面に対して、切り欠き状に形成されたことを特徴とする請求項５〜９の何れかに記載のゴルフ用パターヘッド。
【請求項１１】
第１のフェース面のスイートスポットと第２のフェース面のスイートスポットの間隔、及び、第１のフェース面のスイートスポットと第３のフェース面のスイートスポットの間隔は、２０．５〜２２ｍｍであることを特徴とする請求項５〜１０の何れかに記載のゴルフ用パターヘッド。
【請求項１２】
第１のフェース面の上端部にのみスイートスポットを指し示すマーカが設けられ、または、第１乃至第３のフェース面の上端部にそれぞれスイートスポットを指し示すマーカが設けられたことを特徴とする請求項５〜１１の何れかに記載のゴルフ用パターヘッド。
【請求項１３】
請求項１〜１２の何れかのゴルフ用パターヘッドに、シャフト及びグリップが取り付けられたゴルフ用パタークラブ。
【発明の詳細な説明】
【技術分野】
【０００１】
本発明は、ゴルフ用パタークラブに関するものである。
【背景技術】
【０００２】
多くのゴルファーにとって、スコアアップは積年の課題である。中でもパットは、「パット・イズ・マネー」というゴルフの格言が存在するように、ゴルフにおいて極めて重要な要素であるといえる。なぜなら、ウッドで飛ばす３００ヤードの一打も、パターで打つ数十センチメートルの一打も同じ一打であるからである。そのため、パッティングに使用するパターについても、その構造次第では、ゴルファーのスコアを左右する重要な要素となり得る。
【０００３】
一般的なパターは、ヘッドに設けられた１枚のフェース面でボールをインパクトする。そしてアドレスの際には、グリーン上のラインがスライスラインであればヘッドを左方向へと傾け、逆にラインがフックラインであればヘッドを右方向へと傾ける。
また、ラインが上り或は芝が逆目である場合、又はボールからカップまでの距離が長い場合には強めのボールを打ち、逆に、ラインが下り或は芝が順目である場合、又はボールからカップまでの距離が短い場合には弱めのボールを打つことで調整を行う。
【０００４】
ボールを打つ距離の調整を容易にした技術としては、パターヘッドにおいて通常使う長い打面だけではなく、短い打面も利用可能とした多打面パターが知られている（特許文献１を参照）。これは、打面とシャフトとの距離が近ければ近いほど、グリップから打面に伝わる力は強くなることに着目したものであり、各打面とシャフトとの距離に差を設ける。したがって、短い距離を打つ場合には、打面とシャフトとの距離が長い打面を使い、逆に長い距離を打つ場合には、打面とシャフトとの距離が短い打面を使うことで、スムーズなストロークを可能としたものである。
しかしながら、上記特許文献１に開示された多打面パターでは、距離の調整は可能であるものの、フックラインやスライスラインといった左右の変化に対応するものではないといった問題がある。
また、多打面を用いた打球の打ち分けをトレーニングするためには、打面を頻繁に変えて連続的にパッティングを行うことが効果的であるが、上記多打面パターでは、別の打面を使用する度にシャフトを回転させなければならず、同一のグリップを保持したままパッティングを行うことができないため、ストロークの感触を体得し難いといった問題がある。
【０００５】
シャフトを回転させることなく距離に応じた打ち分けを可能とした技術としては、面一の打球面の中に硬度の異なる３種類の打面を設けたパターヘッドが知られている（特許文献２を参照）。これは、比較的近距離に向けて打球をする場合にはヒール側に近い第１の打面を使用し、比較的中距離に向けて打球をする場合には中央の第２の打面を使用し、比較的長距離に向けて打球をする場合にはトウ側に近い第３の打面を使用するものであり、これによれば、打ち分けの練習を行う度にシャフトを回転させなければならないといった問題は生じない。
しかしながら、上記特許文献２に開示されたパターヘッドでは、距離の打ち分けを行うために、硬度の異なる打面を設ける必要があり、作製コストが高額になるという問題がある。
また、前述の特許文献１に開示された多打面パターと同様に、距離の調整は可能であるがフックラインやスライスラインといった左右の変化には対応できないという問題がある。
【先行技術文献】
【特許文献】
【０００６】
【特許文献１】特開２００３−２６５６６０号公報
【特許文献２】特開２００１−２８６５８７号公報
【発明の概要】
【発明が解決しようとする課題】
【０００７】
一般にラインは、フックライン、スライスラインのいずれの場合でもボールが大きく変化する場合の方が、パッティングが難しいといえる。したがって、ボールの変化を低減することのできるパター、すなわちラインの影響を受け難いパターに対するニーズは多く存在する。
パターは、ボールの真芯に対して水平に打つものであり、高等技術を必要としたり、芝目や凹凸の影響を受け易いといった問題があった。
【０００８】
かかる状況に鑑みて、本発明は、ボールを無回転もしくは逆回転させ芝目をジャンプさせて芝目や凹凸の影響を低減したストロークができ、又は、シャフトを回転させることなく同一のグリップのまま距離の長短や、芝目や凹凸の影響を低減したストロークができ、しかも低コストで作製可能なゴルフ用パターヘッド及びパタークラブを提供することを目的とする。
【課題を解決するための手段】
【０００９】
上記課題を解決すべく、本発明の第１の観点のゴルフ用パターヘッドは、ヘッドの接地面側に位置し、−９〜±０°のロフト角を有する第１のフェース面と、第１のフェース面の上辺に隣接して位置し、＋１〜＋９°のロフト角を有する第２のフェース面を備える。
異なるロフト角を有するフェース面が設けられることにより、グリーン上の複雑なラインに対応可能なパターヘッドとすることができる。上述のごとく、パターは、ボールの真芯に対して水平に打つものであり、高等技術を必要としたり、芝目や凹凸の影響を受け易いといった問題があるが、パターの打面に斜度１０°までの角度を設け、ボールを無回転もしくは逆回転させ芝目をジャンプさせる。ジャンプの後でボールが着地した時から、ボールは芝目の抵抗を受けて滑りながら順回転が始まり、カップに対し直進・減速して止まる。これにより、特に高等技術を必要とすることなく、普通の技術によって、芝目や凹凸の影響を低減したストロークが可能になる。グリーン上やグリーンの外側からのアプローチであっても、カップの近傍までボールを無回転もしくは逆回転させながら芝をジャンプさせ、その後、順回転で減速しながらカップに向かわせることができる。
また、２つのフェース面が上下に設けられることにより、パターヘッドを上下に僅かに移動させるだけで、異なるフェース面を利用することができ、容易に打ち分けが可能となる。
第１のフェース面のロフト角が−９〜±０°とされるのは、第１のフェース面に設けられるロフト角が−９°より小さいと、オーバースピンがかかり過ぎてしまい、また、０°より大きいと、バックスピンがかかりやすくなり、第２のフェース面の機能と重複してしまうからである。
第２のフェース面のロフト角が＋１〜＋９°とされるのは、第２のフェース面に設けられるロフト角が１°未満であると、プラスのロフト角にすることによる効果を充分に得られず、また、９°を超えるとボールが必要以上に浮き上がりやすくなり、パッティングが行い辛くなるからである。
このように、より大きなロフト角を有する第２のフェース面を第１のフェース面の上辺に隣接した位置に設けることにより、第１のフェース面に対して第２のフェース面を切り欠き状に形成することができ、成形が容易となり、低コストでの作製が可能となる。
【００１０】
本発明の第１の観点のゴルフ用パターヘッドにおいて、第１のフェース面は、±０°のロフト角を有することでもよいし、−９〜−１°のマイナスのロフト角を有することでもよい。
第１のフェース面のロフト角が±０°とされることにより、グリーン上がストレートラインの場合や、中距離のパットを行う場合に、精度の高いパットが可能となる。また、−９〜−１°のマイナスのロフト角とされることにより、長距離のパットを行う場合や、上りのラインの場合に、精度の高いパットが可能となる。
【００１１】
本発明の第１の観点のゴルフ用パターヘッドにおいて、第１のフェース面の上下幅は、１０〜２１ｍｍであることが好ましい。
ゴルフボールの直径は、一般に約４３ｍｍであることから、第１のフェース面の上下幅が２１ｍｍよりも広く設けられると、第２のフェース面を利用したパッティングが困難となる。また、第１のフェース面の上下幅が１０ｍｍ未満とされると、フェース面が狭くなり、ボールを打面で捕らえにくくなる。そこで、第１のフェース面の上下幅が、上記範囲とされることにより、第１のフェース面及び第２のフェース面のいずれも利用可能なパターヘッドとすることができる。
【００１２】
本発明の第２の観点のゴルフ用パターヘッドは、中央に位置し±０〜＋４°のロフト角を有する第１のフェース面と、＋１〜＋９°のロフト角を有する第２のフェース面と、−９〜−１°のロフト角を有する第３のフェース面を備え、第１乃至第３のフェース面が略一直線上に設けられる。
異なるロフト角を有する複数のフェース面が設けられることにより、グリーン上の複雑なラインに対応したパターヘッドとすることができる。また、第１乃至第３のフェース面が略一直線上に設けられることにより、シャフトを回転させるといった動作を必要とせず、容易に打ち分けを行うことができる。
【００１３】
本発明の第２の観点のゴルフ用パターヘッドにおいて、第２のフェース面はパターヘッドのトウ側、第３のフェース面はパターヘッドのヒール側にそれぞれ設けられ、又は、第２のフェース面はパターヘッドのヒール側、第３のフェース面はパターヘッドのトウ側にそれぞれ設けられたことが好ましい。
第２のフェース面がヘッドのトウ側に設けられると、バックスピンやスライス回転のボールを打ち出しやすくなる。したがって、グリーン上のラインがフックラインの場合や、近距離のパットを行う場合に、第２のフェース面を用いることで、精度の高いパットが可能となる。また、第３のフェース面がヘッドのヒール側に設けられると、オーバースピンやフック回転のボールを打ち出しやすくなる。したがって、グリーン上のラインがスライスラインの場合や、長距離のパットを行う場合に、第３のフェース面を用いることで、精度の高いパットが可能となる。
【００１４】
これに対して、第２のフェース面がヘッドのヒール側に設けられると、バックスピンやフック回転のボールを打ち出しやすくなる。したがって、グリーン上のラインがスライスラインの場合や、近距離のパットを行う場合に、第２のフェース面を用いることで、精度の高いパットが可能となる。また、第３のフェース面がヘッドのトウ側に設けられると、オーバースピンやスライス回転のボールを打ち出しやすくなる。したがって、ラインがフックラインの場合や、長距離のパットを行う場合に、第３のフェース面を用いることで、精度の高いパットが可能となる。
第２のフェース面と第３のフェース面を、トウ側とヒール側のいずれに配置するかは、プレーヤーの好みや特性に応じて選択することが可能である。
【００１５】
本発明の第２の観点のゴルフ用パターヘッドにおいて、第２のフェース面は、＋２．５〜＋４．５°のロフト角を有し、第３のフェース面は、−４．５〜−２．５°のロフト角を有することが好ましい。
ロフト角は、傾斜が小さ過ぎるとスピンがかかり難くなり、逆に傾斜が大き過ぎるとスピンがかかり過ぎてしまうため、ボールのコントロールが難しくなる。第２のフェース面におけるプラスのロフト角が＋２．５〜＋４．５°の範囲とされることにより、適度なバックスピンをかけたストロークが可能となる。また、第３のフェース面におけるマイナスのロフト角が−２．５〜−４．５°の範囲とされることにより、適度なオーバースピンをかけたストロークが可能となる。
【００１６】
本発明の第２の観点のゴルフ用パターヘッドにおいて、第１のフェース面の左右の幅は、２０〜２２ｍｍであることが好ましい。
一般に、ゴルフボールは約４３ｍｍであり、その１／２程度の幅がフェース面の左右の幅として設けられていれば、正確なパットが可能だからである。
【００１７】
本発明の第２の観点のゴルフ用パターヘッドにおいて、第２及び第３のフェース面の左右の幅は、第１のフェース面の左右の幅よりも広く設けられたことが好ましい。
第２及び第３のフェース面の左右の幅が、第１のフェース面の左右の幅よりも広く設けられることにより、第２又は第３のフェース面を使用する場合のインパクトが容易となる。
【００１８】
本発明の第２の観点のゴルフ用パターヘッドにおいて、第２のフェース面及び第３のフェース面は、第１のフェース面に対して、切り欠き状に形成されたことが好ましい。
第２のフェース面及び第３のフェース面が切り欠き状に形成されることにより、第１のフェース面を使用したパッティングが容易となり、利便性が向上する。また、切り欠き状に形成することにより成形が容易となり、低コストでの作製が可能である。
【００１９】
本発明の第２の観点のゴルフ用パターヘッドにおいて、第１のフェース面のスイートスポットと第２のフェース面のスイートスポットの間隔、及び、第１のフェース面のスイートスポットと第３のフェース面のスイートスポットの間隔は、２０．５〜２２ｍｍであることが好ましい。
フェース面のスイートスポット同士の間隔が、上記範囲とされることで、第１乃至第３のいずれのフェース面を使用する場合でも、スイングの軌道を大きく変えることなくパッティングができ、打ち分けが容易となる。
【００２０】
本発明の第２の観点のゴルフ用パターヘッドは、第１のフェース面の上端部にのみスイートスポットを指し示すマーカが設けられ、または、第１乃至第３のフェース面の上端部にそれぞれスイートスポットを指し示すマーカが設けられたことが好ましい。
第１のフェース面の上端部にのみスイートスポットを指し示すマーカが設けられる場合には、該マーカを基準として、第１のフェース面を使用してパッティングを行うことができる。また、例えば、上述したスイートスポット同士の間隔と、使用するボールの半径が略一致しているような場合には、ボールの左右の端部と該マーカを基準に、第２又は第３のフェース面を使用してパッティングを行うこともできる。
また、第１のフェース面、第２のフェース面及び第３のフェース面のスイートスポットを指し示すマーカがそれぞれ設けられることにより、ボールのセット及びパッティングが容易となる。
【００２１】
本発明のゴルフ用パタークラブは、上記の何れかのゴルフ用パターヘッドに、シャフト及びグリップが取り付けられたものである。
【発明の効果】
【００２２】
本発明のゴルフ用パターヘッド及びパタークラブによれば、シャフトを回転させることなく同一のグリップのまま距離の長短やラインの影響を低減したストロークができ、しかも低コストで作製可能であるといった効果がある。
【図面の簡単な説明】
【００２３】
【図１】実施例１のパターヘッドの斜視図
【図２】実施例１のパターヘッドの外観図１
【図３】実施例１のパターヘッドの外観図２
【図４】実施例１のパターヘッドの説明図
【図５】実施例１のパタークラブの斜視図
【図６】実施例２のパターヘッドの斜視図
【図７】実施例２のパターヘッドの説明図
【図８】実施例３のパターヘッドの斜視図
【図９】実施例３のパターヘッドの右側面図
【図１０】実施例３のパターヘッドの説明図
【図１１】実施例４のパターヘッドの右側面図
【図１２】実施例４のパターヘッドの説明図
【発明を実施するための最良の形態】
【００２４】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００２５】
図１は、実施例１のパターヘッドの斜視図を示している。図１に示すように、パターヘッド１のフェース面２は、フェース面（２１〜２３）から成る。３つのフェース面の内、中央に設けられたフェース面２１は、傾斜が設けられていないフェース面である。トウ側端部５の側に設けられたフェース面２２は上向きの傾斜が設けられたフェース面である。また、ヒール側端部６の側に設けられたフェース面２３は下向きの傾斜が設けられたフェース面となっている。
上端部３の中央にはマーカ８が設けられており、フェース面２１を使用してパッティングを行う際の目印として用いる。また、マーカ８は、後述するが、フェース面（２２，２３）を使用してパッティングを行う際にも目印として用いることが可能である。
パターヘッド１の上端部３にはシャフト７が取り付けられている。シャフト７の位置は、本実施例で示す位置に限られず、例えば、よりヒール側端部６に近づけた位置に取り付けてもよい。
【００２６】
図２及び図３は、実施例１のパターヘッドの外観図であり、図２（１）は正面図、図２（２）は平面図、図３（１）は左側面図、図３（２）は右側面図を示している。
図２（１）に示すように、フェース面２１の幅Ｗ１は、フェース面２２の幅Ｗ２及びフェース面２３の幅Ｗ３よりも狭く設けられている。なお、フェース面２１の幅Ｗ１は、２１ｍｍとなっている。また、フェース面２２の幅Ｗ２とフェース面２３の幅Ｗ３は同じ長さとなっている。
図２（２）に示すように、上端部３の中央にはマーカ８が設けられている。マーカ８は図２（２）に示すような直線状のものに限られず、例えば矢印状であってもよい。また、図２（２）に示すように、本実施例においてはシャフト７の取り付け位置はフェース面２１とフェース面２３の境目付近に設けられている。
【００２７】
図３（１）に示すように、フェース面２２は、上端部３から下端部４に向けて前方に傾斜が設けられ、上向きの傾斜となっている。フェース面２２のロフト角θ１は、＋３．５°となっている。また、図３（２）に示すように、フェース面２３は、上端部３から下端部４に向けて後方に傾斜が設けられ、下向きの傾斜となっている。フェース面２３のロフト角θ２は、−３．５°となっている。
【００２８】
図４は、実施例１のパターヘッドの説明図であり、平面状態を示している。パターヘッド１のフェース面（２１〜２３）は左側にあり、ゴルフボール（９ａ〜９ｃ）は、右から左に転がる場合を示している。
図４において、長破線１１ａは、フェース面２１におけるスイートスポットを示すものであり、ゴルフボール９ａはフェース面２１のスイートスポットでインパクトした状態を示している。ボールをセットする際はマーカ８を用いて、マーカ８とゴルフボール９ａの中心軸とが同軸上となるようにセットする。フェース面２１のスイートスポットから打ち出されたゴルフボール９ａは、矢印１０ａに示すように、前方へ真っ直ぐに転がることになる。
【００２９】
長破線１１ｂは、フェース面２２におけるスイートスポットを示すものであり、ゴルフボール９ｂはフェース面２２のスイートスポットでインパクトした状態を示している。ボールをセットする際は、上端部３にはフェース面２２を使ってインパクトするための独自のマーカは備えられていないが、マーカ８を用いることで、フェース面２２のスイートスポットでインパクトすることができる。すなわち、ゴルフボール（９ａ〜９ｃ）の直径Ｒは、一般に約４３ｍｍであることから、ボールの進行方向に対するゴルフボール９ｂの左端と、マーカ８が同軸上となるようにセットすることで、正確なストロークが可能となる。
フェース面２２はフェース面２１よりもトウ側に設けられているため、フェース面２２のスイートスポットから打ち出されたゴルフボール９ｂは、矢印１０ｂに示すように、右方向に変化しやすくなる。
また、フェース面２２には＋３．５°のロフト角θ１が設けられているため、フェース面２２のスイートスポットから打ち出されたゴルフボール９ｂは、バックスピンがかかりやすくなり、フェース面２１を使用した場合よりも転がり難くなる。
【００３０】
長破線１１ｃは、フェース面２３におけるスイートスポットを示すものであり、ゴルフボール９ｃはフェース面２３のスイートスポットでインパクトした状態を示している。ボールをセットする際は、フェース面２２を用いる場合とは逆に、ボールの進行方向に対するゴルフボール９ｃの右端と、マーカ８が同軸上となるようにセットする。
フェース面２３はフェース面２１よりもヒール側に設けられているため、フェース面２３のスイートスポットから打ち出されたゴルフボール９ｃは、矢印１０ｃに示すように、左方向に変化しやすくなる。
また、フェース面２３には−３．５°のロフト角θ２が設けられているため、フェース面２３のスイートスポットから打ち出されたゴルフボール９ｃは、オーバースピンがかかりやすくなり、フェース面２１を使用した場合よりも転がりやすくなる。
【００３１】
このように、グリーン上のラインがストレートである場合や、距離が中距離である場合には、フェース面２１を使用してパッティングを行うことにより、精度の高いパッティングが可能である。
一方、ラインがフックラインである場合には、フェース面２２を使用してスライス回転をかけることで、フックラインによる左方向への曲がりを補正することができる。また、近距離のパットを行う場合も、フェース面２２を使用してバックスピンをかけることで、ボールの転がりを抑制できる。
これに対して、ラインがスライスラインである場合には、フェース面２３を使用してフック回転をかけることで、スライスラインによる右方向への曲がりを補正することができる。また、長距離のパットを行う場合も、フェース面２３を使用してオーバースピンをかけることで、ボールの転がりを促進できる。
【００３２】
図５は、実施例１のパタークラブの斜視図を示している。図５に示すように、パター１００は、パターヘッド１、シャフト７、及びグリップ１２から成り、シャフト７の一端にはパターヘッド１が取り付けられ、他端にはグリップ１２が取り付けられている。
プレーヤー（図示せず）は、グリップ１２を把持して、フェース面（２１〜２３）を使い分けることで、あらゆるグリーンに対応したパッティングが可能である。パター１００は、フェース面（２１〜２３）がパターヘッド１において略一直線上に設けられているため、打ち分けを行う際に、シャフト７を回転させるといった動作を必要とせず、同じグリップ１２の把持状態を維持したまま異なるフェース面を使ってパッティングを行うことができ、打ち分けのトレーニングを容易に行うことができる。
【実施例２】
【００３３】
図６は、実施例２のパターヘッドの斜視図を示している。また、図７は、実施例２のパターヘッドの説明図を示している。
図６に示すように、パターヘッド１３は、実施例１のパターヘッド１とは異なり、上端部３上に、フェース面２２のスイートスポットを指し示すマーカ８２及びフェース面２３のスイートスポットを指し示すマーカ８３が設けられている。
【００３４】
したがって、図７に示すように、フェース面２２を使用してパッティングを行う場合には、マーカ８２を用いてボールをセットすることができる。すなわち、マーカ８２とゴルフボール９ｂの中心軸とが同軸上となるようにセットする。同様に、フェース面２３を使用してパッティングを行う場合には、マーカ８３とゴルフボール９ｃの中心軸とが同軸上となるようにセットする。このように、各フェース面に対応したマーカを設けることで、ボールのセットが容易となる。
【００３５】
また、パターヘッド１３では、パターヘッド１とは異なり、フェース面（２２，２３）のスイートスポットが、より外側に設けられている。具体的には、フェース面２２のスイートスポットは、よりトウ側端部５の側に近づけて設けられ、フェース面２３のスイートスポットは、よりヒール側端部６の側に近づけて設けられている。
これは、フェース面２１とフェース面（２２，２３）の境界部に形成される凸部（２４ａ，２４ｂ）にボールが当たることを防止するためである。すなわち、フェース面（２２，２３）のスイートスポットが、より内側に設けられていると、パッティングの際に、誤って凸部（２４ａ，２４ｂ）にボールが当たってしまう恐れがある。仮に、凸部２４ａにボールが当たると、ボールは大きく右に変化することとなるし、凸部２４ｂにボールが当たると、ボールは大きく左に変化することとなる。
そこで、長破線（１１ａ〜１１ｃ）で示すスイートスポット同士の間隔を広く設けることで、凸部（２４ａ，２４ｂ）にボールが当たることを防止し、より精度の高いパッティングを容易に行い得る構造としたものである。
【実施例３】
【００３６】
図８は、実施例３のパターヘッドの斜視図を示している。図８に示すように、パターヘッド１４のフェース面２０は、フェース面（２５，２６）から成る。２つのフェース面の内、下側に設けられたフェース面２５は傾斜が設けられていないフェース面であり、上側に設けられたフェース面２６は上向きの傾斜が設けられたフェース面である。フェース面（２５，２６）は、いずれもトウ側端部５０ａからヒール側端部６０ａにかけて略一直線上に設けられている。
上端部３０ａの中央にはマーカ８が設けられており、フェース面２５又はフェース面２６の何れを使用してパッティングを行う際でも目印として用いることが可能である。パターヘッド１４の上端部３０ａにはシャフト７が取り付けられている。シャフト７の位置が本実施例で示す位置に限られないのは、実施例１と同様である。
【００３７】
図９は、実施例３のパターヘッドの右側面図を示している。図９に示すように、フェース面２６は、上端部３０ａから下端部４０ａに向けて前方に傾斜が設けられ、上向きの傾斜となっている。フェース面２６のロフト角θ３は、＋５°となっている。これに対して、フェース面２５には、傾斜が設けられていない。フェース面２５の高さＨ１は、１７ｍｍとなっている。
【００３８】
図１０は、実施例３のパターヘッドの説明図であり、（１）は上側のフェース面を使用する場合、（２）は下側のフェース面を使用する場合を示している。いずれもパターヘッド１４のフェース面（２５，２６）は左側にあり、ゴルフボール９が、右から左に転がる場合を示している。
図１０（１）に示すように、パターヘッド１４をグリーン１６に近接した位置にセットすると、フェース面２６を使用してパッティングを行うことができる。フェース面２６には、＋５°のロフト角θ３が設けられているため、フェース面２６を使用して打ち出されたゴルフボール９は、矢印１０ｄに示すように、バックスピンがかかりやすくなる。したがって、例えば、下りのラインでは、フェース面２６を使用することで、ボールの転がりを抑制することができる。また、フェース面２６を使用した場合、打ち出す強さによっては、ボールを僅かに浮かせることも可能であるため、ボール付近のラインの影響を受け難くすることにも利用可能である。
パターヘッド１４の打面にロフト角θ３が設けられ、ゴルフボール９を無回転もしくは逆回転させ芝目をジャンプさせることができる。ジャンプの後でゴルフボール９が着地した時から、ゴルフボール９はグリーン１６の芝目の抵抗を受けて滑りながら順回転が始まり、カップに対し直進・減速して止まる。これにより、普通の技術によって、芝目や凹凸の影響を低減したストロークが可能になる。グリーン１６上やグリーン１６の外側からのアプローチであっても、カップの近傍までボールを無回転もしくは逆回転させながらジャンプさせ、その後、順回転で減速しながらカップに向かって進ませることができる。
【００３９】
これに対して、図１０（２）に示すように、パターヘッド１４をグリーン１６から浮かせた状態にすると、フェース面２５を使用してパッティングを行うことができる。フェース面２５には、傾斜が設けられていないため、フェース面２５を使用して打ち出されたゴルフボール９は、矢印１０ｅに示すように、前方へ真っ直ぐに無回転で転がることになる。したがって、例えば、比較的容易なラインで傾斜等を考慮する必要がない場合には、フェース面２５を使用することで、安定したパッティングを行うことができる。
【００４０】
パターヘッド１４において、フェース面（２５，２６）は上下に並べて、設けられているため、打ち分けを行う際に、シャフト７を回転させるといった動作を必要とせず、同じグリップ（図示せず）の把持状態を維持したまま異なるフェース面を使ってパッティングを行うことができ、打ち分けのトレーニングを容易に行うことができる。
【実施例４】
【００４１】
図１１は、実施例４のパターヘッドの右側面図を示している。図１１に示すように、パターヘッド１５のフェース面は、フェース面（２６，２７）から成る。２つのフェース面の内、上側に設けられたフェース面２６は、実施例３と同様に、上端部３０ｂから下端部４０ｂに向けて前方に傾斜が設けられ、上向きの傾斜が設けられたフェース面となっている。これに対して、下側に設けられたフェース面２７は、実施例３とは異なり、上端部３０ｂから下端部４０ｂに向けて後方に傾斜が設けられ、下向きの傾斜が設けられたフェース面となっている。フェース面（２６，２７）は、いずれもトウ側端部（図示せず）からヒール側端部６０ｂにかけて略一直線上に設けられている。フェース面２６のロフト角θ３は、＋５°、フェース面２７のロフト角θ４は、−５°となっている。フェース面２７の高さＨ２は、実施例３におけるフェース面２５の高さＨ１と同様に、１７ｍｍとなっている。
【００４２】
図１２は、実施例４のパターヘッドの説明図であり、（１）は上側のフェース面を使用する場合、（２）は下側のフェース面を使用する場合を示している。いずれもパターヘッド１５のフェース面（２６，２７）は左側にあり、ゴルフボール９が、右から左に転がる場合を示している。
図１２（１）に示すように、パターヘッド１５をグリーン１６に近接した位置にセットすると、フェース面２６を使用してパッティングを行うことができる点は実施例３と同様である。
これに対して、図１２（２）に示すように、パターヘッド１５をグリーン１６から浮かせた状態にすると、フェース面２７を使用してパッティングを行うことができる。フェース面２７には−５°のロフト角θ４が設けられているため、フェース面２７を使用して打ち出されたゴルフボール９は、矢印１０ｆに示すように、オーバースピンがかかりやすくなる。したがって、例えば、上りのラインでは、フェース面２７を使用することで、ボールの転がりを促進することができる。また、フェース面２７を使用した場合、オーバースピンがかかりやすくなるため、ロングパットを行う場合でも、ラインの影響を受け難いパッティングが可能となる。
【産業上の利用可能性】
【００４３】
本発明は、ゴルフ用のパタークラブに利用可能である。
【符号の説明】
【００４４】
１，１３〜１５  パターヘッド
２，２０〜２３，２５〜２７  フェース面
３，３０ａ，３０ｂ  上端部
４，４０ａ，４０ｂ  下端部
５，５０ａ  トウ側端部
６，６０ａ，６０ｂ  ヒール側端部
７  シャフト
８，８２，８３  マーカ
９，９ａ〜９ｃ  ゴルフボール
１０ａ〜１０ｆ  矢印
１１ａ〜１１ｃ  長破線
１２  グリップ
１６  グリーン
２４ａ，２４ｂ  凸部
１００  パタークラブ
Ｈ  高さ
Ｒ  直径
Ｗ  幅
θ  ロフト角
【図１】
2020044312.tif 000003
【図２】
2020044312.tif 000004
【図３】
2020044312.tif 000005
【図４】
2020044312.tif 000006
【図５】
2020044312.tif 000007
【図６】
2020044312.tif 000008
【図７】
2020044312.tif 000009
【図８】
2020044312.tif 000010
【図９】
2020044312.tif 000011
【図１０】
2020044312.tif 000012
【図１１】
2020044312.tif 000013
【図１２】
2020044312.tif 000014